(57)【要約】【課題】コマーシャルデータの挿入されていない放送番組データを、ほぼリアルタイムで連続して観ることができる放送受信装置を提供する。【解決手段】ＨＤＤ内蔵テレビジョン受像機１００において、検出手段は受信された第１の放送番組データ全体の中でコマーシャルデータが挿入された総時間を検出し、判断手段は第２の放送番組データのタイトルが第１の放送番組データのタイトルと同一か否かを判断し、第２の放送番組データのタイトルが第１の放送番組データのタイトルと同一であると判断した場合に、再生開始時刻決定は第２の放送番組データの放送開始時刻から総時間分遅れた時刻或いは当該時刻よりも所定時間遅い時刻を再生を開始する再生開始時刻として決定し、制御手段は、第２の放送番組データを放送開始時刻から録画するとともに、再生開始時刻決定手段により決定された再生開始時刻から再生する。【選択図】図２
2008182401.tif 000002
【特許請求の範囲】
【請求項１】
番組本編データとコマーシャルデータとから成る放送番組データを受信する受信手段と、前記受信手段により受信された放送番組データを録画する録画手段と、前記録画手段により録画中の放送番組データを再生する機能と早送り再生機能とを有する再生手段と、を備える放送録画再生装置において、
前記受信手段により受信された第１の放送番組データ全体の中で、前記コマーシャルデータが挿入された総時間を検出する検出手段と、
前記受信手段により受信された第２の放送番組データのタイトルが、前記第１の放送番組データのタイトルと同一か否かを判断する判断手段と、
前記判断手段により、前記受信手段により受信された前記第２の放送番組データのタイトルが、前記第１の放送番組データのタイトルと同一であると判断された場合に、前記検出手段により検出された当該第２の放送番組データの放送開始時刻から前記総時間分遅れた時刻或いは当該時刻よりも所定時間遅い時刻を、前記再生手段により前記第２の放送番組データの再生を開始する再生開始時刻として決定する再生開始時刻決定手段と、
前記再生開始時刻決定手段により決定された前記再生開始時刻をユーザに報知する報知手段と、
放送開始時刻から、前記録画手段に、前記受信手段により受信される前記第２の放送番組データにおける前記番組本編データと、当該第２の放送番組データにおける前記コマーシャルデータとを、記憶媒体中の別領域に録画させ、前記再生手段に、当該録画手段により録画された前記第２の放送番組データにおける前記番組本編データを、前記再生開始時刻決定手段により決定された再生開始時刻から連続して再生させるとともに、前記第２の放送番組データにおける前記コマーシャルデータを、前記番組本編データの再生後にまとめて再生させる第１制御手段と、
放送開始時刻から、前記録画手段に、前記受信手段により受信される前記第２の放送番組データにおける前記コマーシャルデータをカットして前記番組本編データのみを録画させ、前記再生開始時刻決定手段により決定された前記再生開始時刻から、前記再生手段に、当該番組本編データを再生させる第２制御手段と、
前記第１制御手段による制御と、前記第２制御手段による制御との何れかをユーザに選択させる選択手段と、
を備えることを特徴とする放送録画再生装置。
【請求項２】
番組本編データとコマーシャルデータとから成る放送番組データを受信する受信手段と、前記受信手段により受信された放送番組データを録画する録画手段と、前記録画手段により録画中の放送番組データを再生する機能と早送り再生機能とを有する再生手段と、を備える放送録画再生装置において、
前記受信手段により受信された第１の放送番組データ全体の中で、前記コマーシャルデータが挿入された総時間を検出する検出手段と、
前記受信手段により受信された第２の放送番組データのタイトルが、前記第１の放送番組データのタイトルと同一か否かを判断する判断手段と、
前記判断手段により、前記受信手段により受信された前記第２の放送番組データのタイトルが、前記第１の放送番組データのタイトルと同一であると判断された場合に、前記検出手段により検出された当該第２の放送番組データの放送開始時刻から前記総時間分遅れた時刻或いは当該時刻よりも所定時間遅い時刻を、前記再生手段により前記第２の放送番組データの再生を開始する再生開始時刻として決定する再生開始時刻決定手段と、
前記第２の放送番組データを放送開始時刻から前記録画手段に録画させるとともに、前記再生開始時刻決定手段により決定された前記再生開始時刻から当該第２の放送番組データを前記再生手段に再生させる制御手段と、
を備えることを特徴とする放送録画再生装置。
【請求項３】
前記制御手段は、前記録画手段に、前記受信手段により受信される前記第２の放送番組データにおける前記番組本編データと、当該第２の放送番組データにおける前記コマーシャルデータとを記憶媒体中の別領域に録画させ、前記再生手段に、当該録画手段により録画された前記第２の放送番組データにおける前記番組本編データを、前記再生開始時刻決定手段により決定された再生開始時刻から連続して再生させるとともに、前記第２の放送番組データにおける前記コマーシャルデータを、前記番組本編データの再生後にまとめて再生させることを特徴とする請求項２に記載の放送録画再生装置。
【請求項４】
前記制御手段は、前記録画手段に、前記受信手段により受信される前記第２の放送番組データにおける前記コマーシャルデータをカットして前記番組本編データのみを録画させることを特徴とする請求項２に記載の放送録画再生装置。
【請求項５】
前記再生開始時刻決定手段により決定された前記再生開始時刻をユーザに報知する報知手段を備えることを特徴とする請求項２〜４の何れか一項に記載の放送録画再生装置。
【発明の詳細な説明】
【技術分野】
【０００１】
本発明は、放送番組データを録画して再生する放送録画再生装置に関する。
【背景技術】
【０００２】
従来、受信した放送番組データを一旦記憶し、ユーザの希望する時刻から再生することができるテレビジョン受像機が知られている。
例えば、特許文献１には、主チャンネルから他チャンネルに切り替えられた切替時刻から、主チャンネルで放送される切替後主チャンネル映像音声データを記録するとともに、他チャンネルから主チャンネルに戻すと、記録された切替後主チャンネル映像音声データを再生する放送受信記録再生装置が開示されている。
【特許文献１】特開２００２−１５２６５２号公報
【発明の開示】
【発明が解決しようとする課題】
【０００３】
しかしながら、放送番組データの所々に挿入されたコマーシャル（ＣＭ）は、放送番組データを連続して鑑賞したいユーザにとって煩わしい場合があり、コマーシャルの挿入されていない放送番組データを連続して鑑賞したいというニーズがある。
従来から、放送番組データ内のコマーシャルのカットに関する技術は知られているが、これらの技術は記録したデータからコマーシャルをスキップ又はカットするものであるため、コマーシャルが挿入されていない放送番組データを、ほぼリアルタイムで連続して鑑賞することはできないという問題があった。
【０００４】
本発明の課題は、コマーシャルデータの挿入されていない放送番組データを、ほぼリアルタイムで連続して観ることができる放送受信装置を提供することである。
【課題を解決するための手段】
【０００５】
上記課題を解決するため、番組本編データとコマーシャルデータとから成る放送番組データを受信する受信手段と、前記受信手段により受信された放送番組データを録画する録画手段と、前記録画手段により録画中の放送番組データを再生する機能と早送り再生機能とを有する再生手段と、を備える放送録画再生装置において、
前記受信手段により受信された第１の放送番組データ全体の中で、前記コマーシャルデータが挿入された総時間を検出する検出手段と、
前記受信手段により受信された第２の放送番組データのタイトルが、前記第１の放送番組データのタイトルと同一か否かを判断する判断手段と、
前記判断手段により、前記受信手段により受信された前記第２の放送番組データのタイトルが、前記第１の放送番組データのタイトルと同一であると判断された場合に、前記検出手段により検出された当該第２の放送番組データの放送開始時刻から前記総時間分遅れた時刻或いは当該時刻よりも所定時間遅い時刻を、前記再生手段により前記第２の放送番組データの再生を開始する再生開始時刻として決定する再生開始時刻決定手段と、
前記再生開始時刻決定手段により決定された前記再生開始時刻をユーザに報知する報知手段と、
放送開始時刻から、前記録画手段に、前記受信手段により受信される前記第２の放送番組データにおける前記番組本編データと、当該第２の放送番組データにおける前記コマーシャルデータとを、記憶媒体中の別領域に録画させ、前記再生手段に、当該録画手段により録画された前記第２の放送番組データにおける前記番組本編データを、前記再生開始時刻決定手段により決定された再生開始時刻から連続して再生させるとともに、前記第２の放送番組データにおける前記コマーシャルデータを、前記番組本編データの再生後にまとめて再生させる第１制御手段と、
放送開始時刻から、前記録画手段に、前記受信手段により受信される前記第２の放送番組データにおける前記コマーシャルデータをカットして前記番組本編データのみを録画させ、前記再生開始時刻決定手段により決定された前記再生開始時刻から、前記再生手段に、当該番組本編データを再生させる第２制御手段と、
前記第１制御手段による制御と、前記第２制御手段による制御との何れかをユーザに選択させる選択手段と、
を備えることを特徴とする。
【０００６】
請求項２に記載の発明は、番組本編データとコマーシャルデータとから成る放送番組データを受信する受信手段と、前記受信手段により受信された放送番組データを録画する録画手段と、前記録画手段により録画中の放送番組データを再生する機能と早送り再生機能とを有する再生手段と、を備える放送録画再生装置において、
前記受信手段により受信された第１の放送番組データ全体の中で、前記コマーシャルデータが挿入された総時間を検出する検出手段と、
前記受信手段により受信された第２の放送番組データのタイトルが、前記第１の放送番組データのタイトルと同一か否かを判断する判断手段と、
前記判断手段により、前記受信手段により受信された前記第２の放送番組データのタイトルが、前記第１の放送番組データのタイトルと同一であると判断された場合に、前記検出手段により検出された当該第２の放送番組データの放送開始時刻から前記総時間分遅れた時刻或いは当該時刻よりも所定時間遅い時刻を、前記再生手段により前記第２の放送番組データの再生を開始する再生開始時刻として決定する再生開始時刻決定手段と、
前記第２の放送番組データを放送開始時刻から前記録画手段に録画させるとともに、前記再生開始時刻決定手段により決定された前記再生開始時刻から当該第２の放送番組データを前記再生手段に再生させる制御手段と、
を備えることを特徴とする。
【０００７】
請求項３に記載の発明は、請求項２に記載の放送録画再生装置において、前記制御手段は、前記録画手段に、前記受信手段により受信される前記第２の放送番組データにおける前記番組本編データと、当該第２の放送番組データにおける前記コマーシャルデータとを記憶媒体中の別領域に録画させ、前記再生手段に、当該録画手段により録画された前記第２の放送番組データにおける前記番組本編データを、前記再生開始時刻決定手段により決定された再生開始時刻から連続して再生させるとともに、前記第２の放送番組データにおける前記コマーシャルデータを、前記番組本編データの再生後にまとめて再生させることを特徴とする。
【０００８】
請求項４に記載の発明は、請求項２に記載の放送録画再生装置において、前記制御手段は、前記録画手段に、前記受信手段により受信される前記第２の放送番組データにおける前記コマーシャルデータをカットして前記番組本編データのみを録画させることを特徴とする。
【０００９】
請求項５に記載の発明は、請求項２〜４の何れか一項に記載の放送録画再生装置において、前記再生開始時刻決定手段により決定された前記再生開始時刻をユーザに報知する報知手段を備えることを特徴とする。
【発明の効果】
【００１０】
請求項１に記載の発明によれば、番組本編データとコマーシャルデータとから成る放送番組データを受信する受信手段と、受信手段により受信された放送番組データを録画する録画手段と、録画手段により録画中の放送番組データを再生する機能と早送り再生機能とを有する再生手段と、を備える放送録画再生装置において、検出手段により、受信手段により受信された第１の放送番組データ全体の中で、コマーシャルデータが挿入された総時間が検出され、判断手段により、受信手段により受信された第２の放送番組データのタイトルが、第１の放送番組データのタイトルと同一か否かが判断され、再生開始時刻決定手段により、判断手段により、受信手段により受信された第２の放送番組データのタイトルが、第１の放送番組データのタイトルと同一であると判断された場合に、検出手段により検出された第２の放送番組データの放送開始時刻から総時間分遅れた時刻或いは当該時刻よりも所定時間遅い時刻が、再生手段により第２の放送番組データの再生を開始する再生開始時刻として決定され、報知手段により、再生開始時刻決定手段により決定された再生開始時刻がユーザに報知され、第１制御手段により、放送開始時刻から、録画手段により、受信手段により受信される第２の放送番組データにおける番組本編データと、第２の放送番組データにおけるコマーシャルデータとが、記憶媒体中の別領域に録画され、再生手段により、録画手段により録画された第２の放送番組データにおける番組本編データが、再生開始時刻決定手段により決定された再生開始時刻から連続して再生されるとともに、第２の放送番組データにおけるコマーシャルデータが、番組本編データの再生後にまとめて再生され、第２制御手段により、放送開始時刻から、録画手段により、受信手段により受信される第２の放送番組データにおけるコマーシャルデータがカットされて番組本編データのみが録画され、再生開始時刻決定手段により決定された再生開始時刻から、再生手段により、当該番組本編データが再生され、選択手段により、第１制御手段による制御と、第２制御手段による制御との何れかがユーザに選択される。
したがって、ユーザは、再生開始時刻から記録媒体においてコマーシャルデータと別領域に録画された番組本編データを再生すれば、コマーシャルデータの挿入されていない放送番組データを、ほぼリアルタイムで連続して観ることが可能となる。また、コマーシャルを連続して録画したいというユーザのニーズ、又は、コマーシャルを録画したくないというユーザのニーズにも対応することができる。さらに、ユーザは、報知手段により報知される再生開始時刻により、再生開始時刻を容易且つ確実に認識することができ、再生開始時刻までの時間を有効に使うことができる。
【００１１】
請求項２に記載の発明によれば、番組本編データとコマーシャルデータとから成る放送番組データを受信する受信手段と、受信手段により受信された放送番組データを録画する録画手段と、録画手段により録画中の放送番組データを再生する機能と早送り再生機能とを有する再生手段と、を備える放送録画再生装置において、検出手段により、受信手段により受信された第１の放送番組データ全体の中で、コマーシャルデータが挿入された総時間が検出され、判断手段により、受信手段により受信された第２の放送番組データのタイトルが、第１の放送番組データのタイトルと同一か否かが判断され、再生開始時刻決定手段により、判断手段により、受信手段により受信された第２の放送番組データのタイトルが、第１の放送番組データのタイトルと同一であると判断された場合に、検出手段により検出された当該第２の放送番組データの放送開始時刻から総時間分遅れた時刻或いは当該時刻よりも所定時間遅い時刻が、再生手段により第２の放送番組データの再生を開始する再生開始時刻として決定され、制御手段により、第２の放送番組データが放送開始時刻から録画手段により録画されるとともに、再生開始時刻決定手段により決定された再生開始時刻から第２の放送番組データが再生手段により再生される。
したがって、ユーザは、再生開始時刻から記録媒体に録画された放送番組データの再生を行ってコマーシャルデータ部分を早送り再生すれば、コマーシャルデータの挿入されていない放送番組データを、ほぼリアルタイムで連続して観ることが可能となる。
【００１２】
請求項３に記載の発明によれば、請求項２に記載の発明の効果が得られるのは無論のこと、制御手段により、録画手段により、受信手段により受信される第２の放送番組データにおける番組本編データと、当該第２の放送番組データにおけるコマーシャルデータとが記憶媒体中の別領域に録画され、再生手段により、録画手段により録画された第２の放送番組データにおける番組本編データが、再生開始時刻決定手段により決定された再生開始時刻から連続して再生されるとともに、第２の放送番組データにおけるコマーシャルデータが、番組本編データの再生後にまとめて再生される。
したがって、ユーザは、再生開始時刻から記録媒体においてコマーシャルデータと別領域に録画された番組本編データを再生すれば、コマーシャルデータの挿入されていない放送番組データを、ほぼリアルタイムで連続して観ることが可能となり、また、コマーシャルを連続して録画したいというユーザのニーズにも対応することができる。
【００１３】
請求項４に記載の発明によれば、請求項２に記載の発明の効果が得られるのは無論のこと、制御手段により、録画手段により、受信手段により受信される第２の放送番組データにおけるコマーシャルデータがカットされて番組本編データのみが録画される。
したがって、ユーザは、再生開始時刻から記録媒体において録画された番組本編データを再生すれば、コマーシャルデータの挿入されていない放送番組データを、ほぼリアルタイムで連続して観ることが可能となり、また、コマーシャルを録画したくないというユーザのニーズにも対応することができる。
【００１４】
請求項５に記載の発明によれば、請求項２〜４の何れか一項に記載の発明の効果が得られるのは無論のこと、報知手段により、再生開始時刻決定手段により決定された再生開始時刻がユーザに報知される。
したがって、ユーザは、報知手段により報知される再生開始時刻により、再生開始時刻を容易且つ確実に認識することができ、再生開始時刻までの時間を有効に使うことができる。
【発明を実施するための最良の形態】
【００１５】
以下、本発明の実施の形態を図面を参照しながら、詳細に説明する。
本実施形態では、放送録画再生装置として、磁気ディスクに対する記録を行うＨＤＤ（Hard Disc Drive；固定磁気ディスクドライブ）内蔵テレビジョン受像機を例に説明する。
【００１６】
本実施形態のＨＤＤ内蔵テレビジョン受像機１００は、図１、２に示すように、映像・音声データから成る放送番組データを受信して磁気ディスク８１に録画するとともに、当該磁気ディスク８１に録画された放送番組データの再生を行って映像・音声を出力する装置本体１と、ユーザがキー操作を行って各種指示を入力することにより装置本体１を操作するためのキー操作部２１と、を備えて構成されている。キー操作部２１は、例えば、装置本体１を遠隔操作するためのリモートコントローラ（以下、リモコンと称する）２に備わる。
【００１７】
本実施形態では、ＨＤＤ内蔵テレビジョン受像機１００において、シリーズ形式の放送番組データを対象として、録画及び再生を行う場合について説明する。
ここで、シリーズ形式の放送番組データとは、複数回に亘って放送される、タイトルが同一の番組であり、例えば、決まった曜日・時間帯等に放送されるドラマ、アニメ、バラエティ番組、報道番組等である。
テレビジョン放送局から送信され、テレビジョン受像機において受信される放送番組データは、番組本編データＭと、番組本編データＭの間や前後に挿入された１又は複数のコマーシャルデータＣと、から構成されている。一般的に、１つのシリーズを構成する各放送番組データには、それぞれほぼ同じ長さのコマーシャルデータＣが含まれている。
そこで、本実施形態のＨＤＤ内蔵テレビジョン受像機１００では、第１の放送番組データを受信する際に、当該第１の放送番組データに含まれるコマーシャルデータＣの総時間を算出する。そして、その後、当該第１の放送番組データと同一のシリーズに属する第２の放送番組データを録画・再生する際に、第２の放送番組データに含まれるコマーシャルデータＣを、番組本編データＭの後に連続して録画或いは録画せずにカットするとともに、第１の放送番組データから算出したコマーシャルデータＣの総時間に基づいて、少なくとも第１の放送番組データに含まれるコマーシャルデータＣの総時間分時間を遅らせて再生を開始させることとし、番組本編データＭの連続的な視聴をほぼリアルタイムで実現することとした。なお、以下の説明において、この処理を本編優先録画処理及び本編優先再生処理、又は、本編優先録画・再生処理と称することとする。
ここで、第１の放送番組データとは、例えば、同一のタイトルを有する複数の放送番組データから構成されるシリーズ形式の放送番組データのうち、そのシリーズの中で初めて受信された放送番組データを指す。また、第２の放送番組データとは、同一のタイトルを有する複数の放送番組データから構成されるシリーズ形式の放送番組データのうち、初めて受信された第１の放送番組データ以外の放送番組データを指し、同一のタイトルを有する放送番組データが既に受信されている場合に、新たに受信される放送番組データが第２の放送番組データとされる。
【００１８】
まず、本実施形態におけるＨＤＤ内蔵テレビジョン受像機１００のリモコン２の要部構成について説明する。
リモコン２は複数のキーを備えるキー操作部２１を備えて成り、ユーザのキー操作に基づいて装置本体１を遠隔操作する。具体的には、キー操作部２１において、ユーザによりキーの押下操作がなされると、押下操作されたキーに対応する赤外線等の入力操作信号が出力され、当該入力操作信号が装置本体１に設けられたリモコン信号受光部１２を介して、制御部１３に入力される。
キー操作部２１は、例えば、映像表示部１０のディスプレイ１０ａに各種メニュー画面を表示させるためのメニューキー２１ａと、通常の録画処理を開始するための通常録画キー２１ｂと、通常の再生処理を開始するための通常再生キー２１ｃと、後述する第１制御プログラム１３４ｈ又は第２制御プログラム１３４ｉによる本編優先録画処理を開始するための本編優先録画キー２１ｄと、本編優先録画処理が行われた場合に、後述する第２制御プログラム１３４ｉ又は第２制御プログラム１３４ｉによる本編優先再生処理を開始するための本編優先再生キー２１ｅと、等を備えている。また、図示は省略するが、メニュー画面等において所望の項目を確定するための決定キー、メニュー画面等において所望の項目を選択するためのカーソルキー、チャンネル番号の指示入力等を行うための数字が割り当てられたテンキー、等が設けられている。
なお、このようなキー操作部２１が、装置本体１の前面部等に設けられている構成であっても良い。
【００１９】
次に、本実施形態におけるＨＤＤ内蔵テレビジョン受像機１００の装置本体１の要部構成について説明する。
本ＨＤＤテレビジョン受像機は、装置本体１内に、放送信号を受信するアンテナ３と、アンテナ３により受信された放送信号から所定の放送チャンネルの放送番組データを選局する受信手段としてのチューナ４と、放送番組データからＥＰＧ情報を抽出するＥＰＧ（Electric Program Guide）抽出部５と、チューナ４から入力された放送番組データに対して所定の圧縮処理を行うエンコーダ部６と、放送番組データの入出力を制御して、エンコーダ部６から入力された放送番組データをディスクドライブ部８に供給するとともに、ディスクドライブ部８から取り込んだ放送番組データをデコーダ部９に供給するデータプロセッサ７と、磁気ディスク８１に対して放送番組データの記録及び再生を行う録画手段及び再生手段としてのディスクドライブ部８と、ディスクドライブ部８から出力された放送番組データに所定の伸張処理を行うデコーダ部９と、デコーダ部９から入力される映像データに基づく映像を表示させる映像表示部１０と、デコーダ部９から入力される音声信号に基づく音声を出力させる音声出力部１１と、リモコン２等のキー操作部２１から送信される入力操作信号を受信するとともに、当該入力操作信号を制御部１３に出力するリモコン信号受光部１２と、装置本体１全体を統括制御する制御部１３と、等を備えて構成され、各部は制御バス１４により接続されている。
【００２０】
チューナ４は、例えば、図示は省略するが、高周波増幅回路と、局部発振回路及び混合回路から成る周波数変換回路と、を備えて構成されており、アンテナ３等により入力されたデジタルテレビジョン放送信号（ＲＦ信号）と、局部発振回路から出力される局部発振信号とを混合回路により混合し、当該放送信号の周波数を選局するための制御部１３からの制御出力に応じて、特定周波数帯のテレビジョン放送信号を受信する。そして当該受信したテレビジョン放送信号に所定の処理を行うことによりＴＳ（トランスポートストリーム）に変換してエンコーダ部６に出力する。チューナ４は、これにより受信手段として機能する。
【００２１】
ＥＰＧ抽出部５は、チューナ４から入力されるＴＳ形式の放送番組データから、ＥＰＧ情報の抽出を行う。当該ＥＰＧ抽出部５において抽出されるＥＰＧ情報は、例えば、放送番組データのタイトル、放送チャンネル、放送開始時刻、放送終了時刻、放送局、ジャンル情報、番組内容等を示す情報である。
【００２２】
エンコーダ部６は、例えば、ビデオエンコーダ６１と、オーディオエンコーダ６２と、フォーマッタ６３と、等を備えて構成されている。
ビデオエンコーダ６１は、映像信号をＭＰＥＧ２（Moving Picture Experts Group 2）方式に従って圧縮する。具体的には、ビデオエンコーダ６１は、映像信号に対して、ＤＣＴ（Discrete Cosine Transform）、再量子化、動き補償、可変長符号化、及び多重化等の各種処理を行うことで、情報量の圧縮を行う。
オーディオエンコーダ６２は、例えば、音声信号をドルビーＡＣ３（Dolby Audio Compression 3）方式に従って圧縮する。この方式を採用したオーディオエンコーダ６２は、音声データをＭＤＣＴ（Modified Discrete Cosine Transform）により一旦各サンプリング期間毎に周波数成分に変換して、再量子化、ビット数割り当て等の処理を行うことで、情報量の圧縮を行う。当該オーディオエンコーダ６２においてエンコードされた音声信号は、フォーマッタ６３に出力される。
フォーマッタ６３は、ビデオエンコーダ６１から入力される映像データ及びオーディオエンコーダ６２から入力される音声データに対してストリーム合成を行い、ディスクドライブ部８において磁気ディスク８１に書き込み可能なファイル形式に変換して、データプロセッサ７に供給する。
【００２３】
データプロセッサ７は、例えば、バッファメモリ７１を備え、ＣＰＵ１３１からの制御出力に基づいて、ディスクドライブ部８に対する音声・映像データの入出力経路を設定し、データの読み出し／書き込み等、データの入力及び出力を制御する。
具体的には、データプロセッサ７は、例えば、エンコーダ部６から入力された放送番組データに対して、誤り訂正等の処理を行い、一旦バッファメモリ７１に貯めた後に、ＣＰＵ１３１からの制御出力に応じてディスクドライブ部８に出力するとともに、ディスクドライブ部８から読み込んだ放送番組データに対して、誤り訂正等の処理を行い、一旦バッファメモリ７１に貯めた後に、ＣＰＵ１３１からの制御出力に応じてデコーダ部９に出力する。
【００２４】
ディスクドライブ部８は、例えば、内蔵された磁気ディスク（記録媒体）８１と、磁気ディスク８１に対するデータの記録或いは磁気ディスク８１に記録されたデータの読み出しを行う磁気ヘッド８２と、磁気ディスク８１を回転駆動させるスピンドルモータ８３と、磁気ヘッド８２を磁気ディスク８１の半径方向に移動させるためのアクチュエータ８４と、等を備えて構成され、磁気ヘッド８２と磁気ディスク８１との間には、電流を供給することにより磁界を発生する微小な隙間が設けられている。磁気ディスク８１は、図示しないアルミ基板やガラス基板等のディスク基板、下地層、磁性層、保護膜、潤滑剤から構成されており、両面に情報の記録が可能となっている。そして、当該磁気ディスク８１を高速に回転させ、アクチュエータ８４により磁気ヘッド８２を磁気ディスク８１上に移動させてデータの読み書きを行う。
【００２５】
ディスクドライブ部８に内蔵された磁気ディスク８１に記録されるデータについて、さらに詳しく説明する。
磁気ディスク８１は、磁気ディスク８１の半径方向に放射状に埋め込まれたサーボデータ領域と、ユーザデータ領域と、を備えて構成されている。サーボデータ領域は、トラック番号と、セクタ番号と、バーストデータとから構成されており、ディスクドライブ部８は、書き込み命令と書き込み先のアドレスを受け取ると、当該サーボデータに基づいて磁気ヘッド８２の現在位置を特定し、目的のアドレスに磁気ヘッド８２を移動してデータを書き込む。ユーザデータ領域は、ヘッダ領域及びコンテンツ領域を含む構成となっており、ヘッダ領域には、プリアンブルや、シンクマーク、エラー訂正符号の他、ＥＰＧ抽出部５において放送番組データから抽出されたタイトル情報、ジャンル情報、録画時間情報等のＥＰＧ情報が格納され、コンテンツ領域には、記録の対象となる放送番組データが格納される。
当該コンテンツ領域において、放送番組データは、例えば、ＭＰＥＧ方式で記憶される。ＭＰＥＧ方式では、映像データがＩ（Intra-coded）ピクチャ、Ｐ（Predictive-coded）ピクチャ、Ｂ（Bidirectionally predictive-coded）の３種類のピクチャに符号化されるＧＯＰ(Group Of Pictures)構造がとられている。このうち、Ｉピクチャのみ或いはＩピクチャ及びＰピクチャのみを取り出して再生すれば、早送り再生を行うことができる。
当該ディスクドライブ部８は、チューナ４により受信され、エンコーダ部６、データプロセッサ７等において所定の処理が行われた放送番組データを、磁気ディスク８１に記録することにより録画手段として機能するとともに、磁気ディスク８１に録画中の放送番組データを読み出す再生及び早送り再生を行うことにより再生手段として機能する。
【００２６】
デコーダ部９は、例えば、分離部９１と、ビデオデコーダ９２と、オーディオデコーダ９３と、Ｄ／Ａ変換部９４と、等を備えて構成されている。
分離部９１は、ディスクドライブ部８からデータプロセッサ７を介して出力された放送番組データを映像データ、音声データ、副映像データ等の複数のストリームに分離する。
ビデオデコーダ９２は、分離部９１から入力された映像データを、ＭＰＥＧ２方式に従って伸張する。具体的には、ビデオデコーダ９２は、映像データに、可変長復号化、逆量子化、逆ＤＣＴ、動き補正等の各種処理を行うことで、映像データの伸張を行う。
オーディオデコーダ９３は、分離部９１から入力された音声データをドルビーＡＣ−３方式に従って伸張する。
Ｄ／Ａ変換部９４は、量子化された映像データ又は音声データを、その量子化データに応じたアナログ量に変換することにより、それぞれアナログ変換する。
当該Ｄ／Ａ変換部９４においてアナログ変換された映像データは、図示しないＯＳＤ回路においてＯＳＤデータ等の合成が行われ、図示しないフレームメモリに一旦格納された後に、ＣＰＵ１３１からの制御出力に応じて映像出力部に出力されることとなる。また、Ｄ／Ａ変換部９４においてアナログ変換された音声データは、音声出力部１１に出力されることとなる。
【００２７】
映像表示部１０は、例えば、ＬＣＤ（Liquid Crystal Display）等のディスプレイ１０ａを備えており、デコーダ部９から入力された映像信号に基づく映像をディスプレイ１０ａに表示させる。
音声出力部１１は、例えば、図示しないスピーカ等を備え、デコーダ部９から入力された音声信号に基づく音声をスピーカにより出力させる。
【００２８】
リモコン信号受光部１２は、リモコン２等のキー操作部２１に備わる各種キーがユーザにより押下操作されることにより出力された赤外線等の入力操作信号を受信し、増幅、検波、誤り訂正等の処理を施して、当該入力操作信号を制御部１３に対して出力する。
【００２９】
制御部１３は、ＣＰＵ（Central Processing Unit）１３１、計時部１３２、メモリ部１３３、ＲＯＭ（Read Only Memory）１３４等を備えて構成されている。
【００３０】
ＣＰＵ１３１は、装置本体１の各部から入力された入力信号や、リモコン２等のキー操作部２１における各種キーの押下操作によってリモコン信号受光部１２を介して入力された入力操作信号等に応じて、ＲＯＭ１３４に格納された各種プログラムを実行するとともに、実行にかかるプログラムに基づいて装置本体１の各部に出力信号を出力することにより、ＨＤＤ内蔵テレビジョン受像機１００の動作全般を統括制御する。
【００３１】
計時部１３２は、ＣＰＵ１３１から入力される制御信号に従って、所定の計時処理を行う。
【００３２】
メモリ部１３３は、例えば、ＲＡＭ（Random Access Memory）等の揮発性メモリからなるワークエリア１３３１を備えており、ＣＰＵ１３１によって各種プログラムが実行される際に生じる処理結果や、入力されたデータ等をこのワークエリア１３３１に記憶させる。
【００３３】
また、メモリ部１３３は、ＥＰＲＯＭ（Erasable Programmable ROM）等の不揮発性メモリからなるデータエリア１３３２を備えている。データエリア１３３２は、例えば、設定データ１３３２ａと、総時間記憶テーブル１３３２ｂと、を格納している。
【００３４】
設定データ１３３２ａは、例えば、後述する選択プログラム１３４ａの実行において、本編優先録画・再生処理におけるコマーシャルデータＣの処理として、ユーザにより選択されたモードを記憶する領域である。具体的には、録画再生モード選択画面（後述）において、ユーザにより選択された、第１制御プログラム１３４ｈの実行によるＣＭ一括再生モードと、第２制御プログラム１３４ｉの実行によるＣＭカットモードとの何れかを記憶する。
【００３５】
総時間記憶テーブル１３３２ｂは、例えば、後述する検出プログラム１３４ｂの実行において検出された第１放送番組データに含まれるコマーシャルデータＣの総時間を示すデータと、当該第１放送番組のタイトルとを、互いに対応付けて記憶するテーブルである。
【００３６】
ＲＯＭ１３４は、例えば、不揮発性メモリからなるプログラム格納エリアを有しており、具体的には、選択プログラム１３４ａ、検出プログラム１３４ｂ、判断プログラム１３４ｃ、再生開始時刻決定プログラム１３４ｄ、報知プログラム１３４ｅ、録画プログラム１３４ｆ、再生プログラム１３４ｇ、第１制御プログラム１３４ｈ、第２制御プログラム１３４ｉ等を備えている。
【００３７】
選択プログラム１３４ａは、例えば、ＣＰＵ１３１に、後述する第１制御プログラム１３４ｈの実行による制御と、第２制御プログラム１３４ｉの実行による制御との何れかを、ユーザに選択させる機能を実現させるためのプログラムである。
具体的には、リモコン２等のキー操作部２１におけるメニューキー２１ａ等の操作により、映像表示部１０に録画再生モード選択画面の表示させるための入力操作信号がリモコン信号受光部１２を介して制御部１３に入力されると、ＣＰＵ１３１は、メモリ部１３３等の所定の領域に記憶された録画再生モード選択画面用のＯＳＤデータを読み出し、読み出したＯＳＤデータを、図示しないＯＳＤ回路により、映像表示部１０に出力される映像信号に付加することにより、映像表示部１０のディスプレイ１０ａに録画再生モード選択画面を表示させる。
図３は、映像表示部１０のディスプレイ１０ａに表示される録画再生モード選択画面を例示する図である。図３（ａ）に示すように、録画再生モード選択画面は、本編優先録画・再生処理におけるコマーシャルデータＣの処理を、ユーザに選択させるようになっている。具体的には、録画再生モード選択画面では、番組本編データＭの後にコマーシャルデータＣをまとめて再生する第１制御プログラム１３４ｈによるＣＭ一括再生モードと、コマーシャルデータＣをカットして番組本編データＭのみを再生する第２制御プログラム１３４ｉによるＣＭカットモードと、の何れかが選択可能である。当該録画再生モード選択画面において、キー操作部２１におけるキー操作により、ＣＭ一括再生モード又はＣＭカットモードがユーザにより選択されると、選択されたモードが、メモリ部１３３のデータエリア１３３２に設定データ１３３２ａとして記憶されることとなる。
ＣＰＵ１３１は、かかる選択プログラム１３４ａを実行することにより、選択手段として機能する。
【００３８】
検出プログラム１３４ｂは、例えば、ＣＰＵ１３１に、チューナ４により受信された第１の放送番組データ全体の中で、コマーシャルデータＣが挿入された総時間を検出する機能を実現させるためのプログラムである。
具体的には、リモコン２等のキー操作部２１におけるキー操作に基づいて、チューナ４による選局処理が行われて放送番組データの受信が開始されると、ＣＰＵ１３１は、当該放送番組データのタイトルを、ＥＰＧ抽出部５において抽出されるＥＰＧ情報から取得する。そして、受信された放送番組データのタイトルが、既に受信された第１放送番組データのタイトルと同一であるか否かを、総時間記憶テーブル１３３２ｂを参照して判断する。ＣＰＵ１３１は、当該総時間記憶テーブル１３３２ｂにおいて、受信された放送番組データのタイトルと同一のタイトルの第１の放送番組データが存在せず、本ＨＤＤ内蔵テレビジョン受像機１００において、同一のタイトルの放送番組データを未だ受信していないと判断すると、受信された放送番組データが第１の放送番組データであると判断し、当該第１の放送番組データに含まれるコマーシャルデータＣの総時間を検出する。さらに、ＣＰＵ１３１は、第１の放送番組データから検出したコマーシャルデータＣの総時間と、第１放送番組データのタイトルと、を互いに対応付けて、メモリ部１３３のデータエリア１３３２に格納された総時間記憶テーブル１３３２ｂに記憶する。
図４は、総時間記憶テーブル１３３２ｂを例示する図である。図４に示すように、総時間記憶テーブル１３３２ｂでは、検出プログラム１３４ｂの実行により、第１の放送番組データに含まれるコマーシャルデータＣの総時間（例えば、「６００秒」）が検出されると、検出された総時間を示すデータが、当該第１の放送番組データのタイトル（例えば、「ＡＡＡ」）と対応付けられて記憶される。
ＣＰＵ１３１は、かかる検出プログラム１３４ｂを実行することにより、検出手段として機能する。
【００３９】
ここで、放送番組データに挿入されたコマーシャルデータＣの検出方法について説明する。図５は、第１の放送番組データのデータ構造を例示する図である。
例えば、コマーシャルデータＣの検出は、音声データのステレオ方式／モノラル方式の切替わりの検出に基づいて行われる。通常、コマーシャルデータＣの音声データは、ステレオ方式を採用している場合が多い。そのため、図５に例示する第１の放送番組データのうち、番組本編データＭ１〜Ｍ４の音声データがモノラル方式、コマーシャルデータＣ１〜Ｃ３がステレオ方式である場合に、音声データのステレオ方式／モノラル方式の切替わりを検出すれば、放送番組データに挿入されたコマーシャルデータＣ１〜Ｃ３の総時間を検出できることとなる。
また、各コマーシャルデータＣの間と、番組本編データＭとコマーシャルデータＣとの間には、約１５フレーム分の無音部Ｎが作られており、さらに、コマーシャルデータＣの長さは１５秒の倍数秒と規定されている。そのため、番組本編データＭがステレオ方式を採用している場合であっても、当該無音部Ｎの検出に基づいて、番組本編データＭからコマーシャルデータＣへの移行、コマーシャルデータＣから番組本編データＭへの移行、コマーシャルデータＣから別のコマーシャルデータＣの移行を検出し、更に、無音部Ｎ同士の間隔を検出すれば、放送番組データに挿入されたコマーシャルデータＣ１〜Ｃ３を特定し、その総時間を検出できることとなる。
【００４０】
判断プログラム１３４ｃは、例えば、ＣＰＵ１３１に、チューナ４により受信された第２の放送番組データのタイトルが、第１の放送番組データのタイトルと同一か否かを判断する機能を実現させるためのプログラムである。
具体的には、ＣＰＵ１３１は、リモコン２等のキー操作部２１における本編優先録画キー２１ｄのキー操作に基づいて、チューナ４による選局処理が行われて放送番組データの受信が開始されると、ＣＰＵ１３１は、検出プログラム１３４ｂの説明において前述したように、当該放送番組データのタイトルを、ＥＰＧ抽出部５において抽出されるＥＰＧ情報から取得し、受信される放送番組データのタイトルが、既に受信された第１放送番組データのタイトルと同一であるか否かを、総時間記憶テーブル１３３２ｂを参照して判断する。ＣＰＵ１３１は、総時間記憶テーブル１３３２ｂにおいて、受信される放送番組データのタイトルと同一のタイトルの第１の放送番組データが存在する場合には、受信される放送番組データのタイトルが、既に受信された第１の放送番組データのタイトルと同一であると判断し、当該放送番組データが第２の放送番組データであるとする。
例えば、ＣＰＵ１３１は、受信される放送番組データのタイトル「ＡＡＡ」を、ＥＰＧ情報から取得し、このタイトルと同一のタイトル「ＡＡＡ」の第１放送番組データが、総時間記憶テーブル１３３２ｂに記憶されていると判断すると、受信される放送番組データを第２の放送番組データであるとする。
ＣＰＵ１３１は、かかる判断プログラム１３４ｃを実行することにより、判断手段として機能する
【００４１】
再生開始時刻決定プログラム１３４ｄは、例えば、ＣＰＵ１３１に、判断プログラム１３４ｃの実行において、受信プログラムにより受信された第２の放送番組データのタイトルが、第１の放送番組データのタイトルと同一であると判断された場合に、検出プログラム１３４ｂの実行により検出された第２の放送番組データの放送開始時刻から総時間分遅れた時刻或いは当該時刻よりも所定時間遅い時刻を、前記再生プログラム１３４ｇの実行により第２の放送番組データの再生を開始する再生開始時刻として決定する機能を実現させるためのプログラムである。
具体的には、ＣＰＵ１３１は、前述の判断プログラム１３４ｃの実行において、チューナ４により受信される放送番組データが第２の放送番組データであるとされると、総時間記憶テーブル１３３２ｂを参照し、当該第２放送番組データと同一のタイトルを有する第１の放送番組データのタイトルに対応付けられて記憶されているコマーシャルデータＣの総時間を読み出す。そして、第２の放送番組データの放送開始時刻から、総時間記憶テーブル１３３２ｂから読み出した総時間分遅い時刻、又は、その時刻から所定時間分遅い時刻を、第２の放送番組データの再生を開始する時刻として決定する。
例えば、ＣＰＵ１３１は、第２の放送番組データの放送開始時刻が１５：００である場合、総時間記憶テーブル１３３２ｂを参照して、第１の放送番組データに対応付けられたコマーシャルデータＣの総時間である「６００秒」を読み出し、第２の放送番組データの放送開始時刻である１５：００から６００秒遅い時刻（例えば、１５：１０）、又は、その時刻から所定時間（例えば、６０秒）遅い時刻（例えば、「１５：１１」）を、第２の放送番組データの再生を開始する再生開始時刻として決定する。
ＣＰＵ１３１は、かかる再生開始時刻決定プログラム１３４ｄを実行することにより、再生開始時刻決定手段として機能する。
【００４２】
報知プログラム１３４ｅは、例えば、ＣＰＵ１３１に、再生開始時刻決定プログラム１３４ｄの実行により決定された再生開始時刻をユーザに報知する機能を実現させるためのプログラムである。
具体的には、前述の再生開始時刻決定プログラム１３４ｄの実行において、第２の放送番組データの再生を開始する再生開始時刻が決定されると、ＣＰＵ１３１は、例えば、映像表示部１０のディスプレイ１０ａ上に、決定された再生開始時刻を報知するためのＯＳＤ表示を行わせる。
図６は、映像表示部１０のディスプレイ１０ａに表示される、再生開始時刻を報知するためのＯＳＤ表示を例示する図である。再生開始時刻決定プログラム１３４ｄの実行において、第２の放送番組データの再生を開始する再生開始時刻が決定されると、ＣＰＵ１３１は、図６に示すように、ディスプレイ１０ａの一部に、決定された再生開始時刻（例えば、「１５：１０」）を現在時刻（例えば、「１５：００」）とともにＯＳＤ表示して、ユーザに報知する。
ＣＰＵ１３１は、かかる報知プログラム１３４ｅを実行することにより、報知手段として機能する。
【００４３】
また、ＣＰＵ１３１は、再生開始時刻決定プログラム１３４ｄの実行により決定された再生開始時刻となると、例えば、映像表示部１０のディスプレイ１０ａ上に、再生開始時刻が到来した旨をユーザに報知するためのＯＳＤ表示を行わせる。
図７は、映像表示部１０のディスプレイ１０ａに表示される、再生開始時刻となったことを報知するためのＯＳＤ表示を例示する図である。再生開始時刻決定プログラム１３４ｄの実行において決定された再生開始時刻が到来すると、ＣＰＵ１３１は、図７に示すように、ディスプレイ１０ａの一部に、決定された再生開始時刻が到来した旨を報知する旨のＯＳＤ表示を行い、ＯＳＤ表示を開始してから所定時間（例えば、１０分間）経過後に当該ＯＳＤ表示を消去する。
【００４４】
録画プログラム１３４ｆは、例えば、ＣＰＵ１３１に、チューナ４により受信された放送番組データを録画する機能を実現させるためのプログラムである。
具体的には、リモコン２等のキー操作部２１における通常録画キー２１ｂ又は本編優先録画キー２１ｄのキー操作に基づいて、チューナ４による選局処理が行われて放送番組データの受信が開始されると、ＣＰＵ１３１は、エンコーダ部６、データプロセッサ７等において前述した処理を行わせ、磁気ディスク８１に記録可能なフォーマットに変換された放送番組データを、ディスクドライブ部８において磁気ディスク８１に記憶させる。
ＣＰＵ１３１は、かかる録画プログラム１３４ｆを実行することにより、ディスクドライブ部８とともに録画手段として機能する。
【００４５】
再生プログラム１３４ｇは、例えば、ＣＰＵ１３１に、録画プログラム１３４ｆの実行により録画中の放送番組データを再生する機能と、早送り再生機能とを実現させるためのプログラムである。
具体的には、リモコン２等のキー操作部２１における本編優先録画キー２１ｄのキー操作に基づいて放送番組データの録画が開始され、再生開始時刻決定プログラム１３４ｄの実行において決定された再生開始時刻が到来した状態において、リモコン２等のキー操作部２１において、本編優先再生キー２１ｅのキー操作が行われると、ＣＰＵ１３１は、ディスクドライブ部８において磁気ディスク８１に記録中の放送番組データを読み出して再生するとともに、早送り再生キーのキー操作が行われると、磁気ディスク８１に記録された放送番組データを、所定の間隔で読み出して早送り再生を行う。
当該早送り再生は、磁気ディスク８１のコンテンツ領域にＧＯＰ構造で記憶された放送番組データから、Ｉピクチャのみ、或いは、Ｉピクチャ及びＰピクチャのみを取り出してデコードすることにより実現される。
ＣＰＵ１３１は、かかる再生プログラム１３４ｇを実行することにより、ディスクドライブ部８とともに再生手段として機能する。
【００４６】
第１制御プログラム１３４ｈは、例えば、ＣＰＵ１３１に、放送開始時刻から、録画プログラム１３４ｆの実行により、チューナ４により受信される第２の放送番組データにおける番組本編データＭと、第２の放送番組データにおけるコマーシャルデータＣとを、磁気ディスク８１中の別領域に録画させ、再生プログラム１３４ｇの実行により、録画プログラム１３４ｆの実行により録画された第２の放送番組データにおける番組本編データＭを、再生開始時刻決定プログラム１３４ｄにより決定された再生開始時刻から連続して再生させるとともに、第２の放送番組データにおけるコマーシャルデータＣを、番組本編データＭの再生後にまとめて再生させる機能を実現させるためのプログラムである。
具体的には、ＣＰＵ１３１は、リモコン２等のキー操作部２１における本編優先録画キー２１ｄのキー操作に基づいて、チューナ４により受信される放送番組データが、第２の放送番組データであると判断すると、メモリ部１３３のデータエリア１３３２に記憶された設定データ１３３２ａを読み出して、番組本編データＭの後にコマーシャルデータＣをまとめて再生する処理を行うＣＭ一括再生モードと、コマーシャルデータＣをカットして番組本編データＭのみを再生するＣＭカットモードと、の何れのモードが設定されているかを判断する。そして、設定データ１３３２ａにＣＭ一括再生モードが記憶されている場合、ＣＰＵ１３１は、チューナ４により受信される第２の放送番組データを構成する番組本編データＭとコマーシャルデータＣを、磁気ディスク８１のコンテンツ領域におけるそれぞれ別の領域に記憶させる。
また、放送番組データの録画開始後、再生開始時刻決定プログラム１３４ｄの実行において決定された再生開始時刻が到来した状態において、リモコン２等のキー操作部２１において、本編優先再生キー２１ｅのキー操作が行われると、ＣＰＵ１３１は、初めに、ディスクドライブ部８において磁気ディスク８１に記録された第２の放送番組データのうち、番組本編データＭのみを読み出して連続して再生させる。そして、記録された番組本編データＭの再生が全て終了すると、次に、番組本編データＭとは別の領域に記録されたコマーシャルデータＣを読み出し、まとめて再生させる。
ＣＰＵ１３１は、かかる第１制御プログラム１３４ｈを実行することにより、第１制御手段として機能する。
【００４７】
ここで、選択プログラム１３４ａにおいてＣＭ一括再生モードが選択された場合に実行される第１制御プログラム１３４ｈにおける本編優先録画・再生処理について、図８を参照しながらより具体的に説明する。
図８（ａ）は、チューナ４において受信される第１の放送番組データであり、番組本編データＭ５、Ｍ６、Ｍ７、Ｍ８の間に、コマーシャルデータＣ５、Ｃ６、Ｃ７が挿入された構成となっている。当該第１の放送番組データに含まれるコマーシャルデータＣの総時間は、検出プログラム１３４ｂの実行において検出され、総時間記憶テーブル１３３２ｂに記憶される。
また、図８（ｂ）は、チューナ４において受信される第２の放送番組データであり、第１の放送番組データと同様、番組本編データＭ９、Ｍ１０、Ｍ１１、Ｍ１２の間に、コマーシャルデータＣ９、Ｃ１０、Ｃ１１が挿入されている。当該第２の放送番組データに含まれるコマーシャルデータＣの総時間は、第１の放送番組データに含まれるコマーシャルデータＣの総時間と同じである。
【００４８】
例えば、放送開始時刻である時点ｐ１において、ユーザにより、キー操作部２１における本編優先録画キー２１ｄが押下された場合、ＣＰＵ１３１は、チューナ４において受信される放送番組データのタイトルが総時間記憶テーブル１３３２ｂに記憶された第１の放送番組データのタイトルと同一であるか否かを判断し、第１の放送番組データのタイトルと同一であるとして、当該放送番組データが第２の放送番組データであると判断すると、総時間記憶テーブル１３３２ｂにおいて第１の放送番組データのタイトルに対応付けられて記憶されたコマーシャルデータＣの総時間を読み出す。そして、ＣＰＵ１３１は、第２の放送番組データの放送開始時刻からコマーシャルデータＣの総時間分遅い時刻、又は、その時刻から所定時間遅い時刻を、第２の放送番組データの再生を開始する再生開始時刻として決定し、報知プログラム１３４ｅの実行により、決定された再生開始時刻を報知するＯＳＤ表示を行う。
【００４９】
さらに、ＣＰＵ１３１は、チューナ４において受信される第２の放送番組データに含まれるコマーシャルデータＣを検出しながら、当該第２の放送番組データの番組本編データＭ９、Ｍ１０、Ｍ１１、Ｍ１２を、ディスクドライブ部８の磁気ディスク８１のコンテンツ領域に連続して記憶させるとともに、第２の放送番組データから検出されるコマーシャルデータＣ９、Ｃ１０、Ｃ１１を、番組本編データＭ９〜Ｍ１２が記憶された領域とは別の領域に連続して記憶させる本編優先録画処理を開始する。
【００５０】
次に、再生開始時刻が到来した時点ｐ２において、ユーザにより、キー操作部２１における本編優先再生キー２１ｅが押下されると、ＣＰＵ１３１は、磁気ディスク８１に記憶された放送番組データのうち、初めに、磁気ディスク８１に連続して記録された番組本編データＭ９、Ｍ１０、Ｍ１１、Ｍ１２を再生させ、これらの番組本編データＭ９〜１２の再生後に、番組本編データと別領域にまとめて記録されたコマーシャルデータＣ９、Ｃ１０、Ｃ１１を再生させる本編優先再生処理を行う。
これにより、ユーザは、コマーシャルデータＣ９〜Ｃ１１の挿入されていない番組本編データＭ９〜Ｍ１２を、ほぼリアルタイムで連続して鑑賞することができるとともに、番組本編データＭ９〜Ｍ１２の再生後に、コマーシャルデータＣ９〜Ｃ１１を一括して観ることができる。
【００５１】
第２制御プログラム１３４ｉは、例えば、ＣＰＵ１３１に、放送開始時刻から、録画プログラム１３４ｆの実行により、チューナ４により受信される第２の放送番組データにおけるコマーシャルデータＣをカットして番組本編データＭのみを録画させ、再生開始時刻決定プログラム１３４ｄにより決定された再生開始時刻から、再生プログラム１３４ｇの実行により、当該番組本編データＭを再生させる機能を実現させるためのプログラムである。
具体的には、ＣＰＵ１３１は、リモコン２等のキー操作部２１における本編優先録画キー２１ｄのキー操作に基づいて、チューナ４により受信される放送番組データが、第２の放送番組データであると判断すると、第１制御プログラム１３４ｈの説明において前述したように、メモリ部１３３のデータエリア１３３２に記憶された設定データ１３３２ａを読み出して、番組本編データＭの後にコマーシャルデータＣをまとめて再生する処理を行うＣＭ一括再生モードと、コマーシャルデータＣをカットして番組本編データＭのみを再生するＣＭカットモードと、の何れのモードが設定されているかを判断する。そして、設定データ１３３２ａにＣＭカットモードが記憶されている場合、ＣＰＵ１３１は、チューナ４により受信される第２の放送番組データを構成する番組本編データＭを、磁気ディスク８１における別領域に記憶させるとともに、チューナ４により受信される第２の放送番組データに含まれるコマーシャルデータＣを記録せずに削除する。
また、放送番組データの録画開始後、再生開始時刻決定プログラム１３４ｄの実行において決定された再生開始時刻が到来した状態において、リモコン２等のキー操作部２１において、本編優先再生キー２１ｅのキー操作が行われると、ＣＰＵ１３１は、ディスクドライブ部８において磁気ディスク８１に記録された番組本編データＭを連続して再生させる。
ＣＰＵ１３１は、かかる第２制御プログラム１３４ｉを実行することにより、第２制御手段として機能する。
【００５２】
ここで、選択プログラム１３４ａにおいてＣＭカットモードが選択された場合に実行される第２制御プログラム１３４ｉにおける本編優先録画・再生処理について、図９を参照しながらより具体的に説明する。
図９（ａ）は、図８（ａ）の放送番組データと同じ、チューナ４において受信される第１の放送番組データであり、番組本編データＭ５、Ｍ６、Ｍ７、Ｍ８の間に、コマーシャルデータＣ５、Ｃ６、Ｃ７が挿入された構成となっている。当該第１の放送番組データに含まれるコマーシャルデータＣの総時間は、検出プログラム１３４ｂの実行において検出され、総時間記憶テーブル１３３２ｂに記憶される。
また、図８（ｂ）は、チューナ４において受信される第２の放送番組データであり、第１の放送番組データと同様、番組本編データＭ１３、Ｍ１４、Ｍ１５、Ｍ１６の間に、コマーシャルデータＣ１３、Ｃ１４、Ｃ１５が挿入されている。当該第２の放送番組データに含まれるコマーシャルデータＣの総時間は、第１の放送番組データに含まれるコマーシャルデータＣの総時間と同じである。
【００５３】
例えば、放送開始時刻である時点ｐ３において、ユーザにより、キー操作部２１における本編優先録画キー２１ｄが押下された場合、ＣＰＵ１３１は、チューナ４において受信される放送番組データのタイトルが総時間記憶テーブル１３３２ｂに記憶された第１の放送番組データのタイトルと同一であるか否かを判断し、第１の放送番組データのタイトルと同一であるとして、当該放送番組データが第２の放送番組データであると判断すると、総時間記憶テーブル１３３２ｂにおいて第１の放送番組データのタイトルに対応付けられて記憶されたコマーシャルデータＣの総時間を読み出す。そして、ＣＰＵ１３１は、第２の放送番組データの放送開始時刻からコマーシャルデータＣの総時間分遅い時刻、又は、その時刻から所定時間遅い時刻を、第２の放送番組データの再生を開始する再生開始時刻として決定し、報知プログラム１３４ｅの実行により、決定された再生開始時刻を報知するＯＳＤ表示を行う。
【００５４】
さらに、ＣＰＵ１３１は、チューナ４において受信される第２の放送番組データに含まれるコマーシャルデータＣを検出しながら、当該第２の放送番組データの番組本編データＭ１３、Ｍ１４、Ｍ１５、Ｍ１６を、ディスクドライブ部８の磁気ディスク８１のコンテンツ領域に連続して記憶させるとともに、第２の放送番組データから検出されるコマーシャルデータＣ１３、Ｃ１４、Ｃ１５を記録せずに削除する本編優先録画処理を開始する。
【００５５】
次に、再生開始時刻が到来した時点ｐ４において、ユーザにより、キー操作部２１における本編優先再生キー２１ｅが押下されると、ＣＰＵ１３１は、磁気ディスク８１に連続して記憶された番組本編データＭ１３、Ｍ１４、Ｍ１５、Ｍ１６を再生させる本編優先再生処理を行う。
これにより、ユーザは、コマーシャルデータＣ９〜Ｃ１１の挿入されていない番組本編データＭ９〜Ｍ１２を、ほぼリアルタイムで鑑賞することができるとともに、コマーシャルデータＣ９〜Ｃ１１を録画せずにカットすることができる。
【００５６】
以上説明した本実施形態におけるＨＤＤ内蔵テレビジョン受像機１００によれば、番組本編データＭとコマーシャルデータＣとから成る放送番組データを受信するチューナ４を備え、ＣＰＵ１３１による録画プログラム１３４ｆの実行により、チューナ４により受信された放送番組データが録画され、再生プログラム１３４ｇの実行により、録画プログラム１３４ｆにより録画中の放送番組データが再生又は早送り再生され、検出プログラム１３４ｂの実行により、チューナ４により受信された第１の放送番組データ全体の中で、コマーシャルデータＣが挿入された総時間が検出され、判断プログラム１３４ｃの実行により、チューナ４により受信された第２の放送番組データのタイトルが、第１の放送番組データのタイトルと同一か否かが判断され、再生開始時刻決定プログラム１３４ｄの実行により、判断プログラム１３４ｃの実行により、チューナ４により受信された第２の放送番組データのタイトルが、第１の放送番組データのタイトルと同一であると判断された場合に、検出プログラム１３４ｂの実行により検出された第２の放送番組データの放送開始時刻から総時間分遅れた時刻或いは当該時刻よりも所定時間遅い時刻が、再生プログラム１３４ｇの実行により第２の放送番組データの再生を開始する再生開始時刻として決定され、報知プログラム１３４ｅの実行により、再生開始時刻決定プログラム１３４ｄの実行により決定された再生開始時刻がユーザに報知される。そして、ＣＰＵ１３１による第１制御プログラム１３４ｈの実行により、放送開始時刻から、録画プログラム１３４ｆの実行により、チューナ４により受信される第２の放送番組データにおける番組本編データＭと、第２の放送番組データにおけるコマーシャルデータＣとが、磁気ディスク８１中の別領域に録画され、再生プログラム１３４ｇの実行により、録画プログラム１３４ｆの実行により録画された第２の放送番組データにおける番組本編データＭが、再生開始時刻決定プログラム１３４ｄの実行により決定された再生開始時刻から連続して再生されるとともに、第２の放送番組データにおけるコマーシャルデータＣが、番組本編データＭの再生後にまとめて再生される。また、ＣＰＵ１３１による第２制御プログラム１３４ｉの実行により、放送開始時刻から、録画プログラム１３４ｆの実行により、チューナ４により受信される第２の放送番組データにおけるコマーシャルデータＣがカットされて番組本編データＭのみが録画され、再生開始時刻決定プログラム１３４ｄの実行により決定された再生開始時刻から、再生プログラム１３４ｇの実行により、当該番組本編データＭが再生され、選択プログラム１３４ａの実行により、第１制御プログラム１３４ｈによる制御と、第２制御プログラム１３４ｉによる制御との何れかがユーザに選択される。
したがって、ユーザは、再生開始時刻から記録媒体においてコマーシャルデータＣと別領域に録画された番組本編データＭを再生すれば、コマーシャルデータＣの挿入されていない放送番組データを、ほぼリアルタイムで連続して観ることが可能となる。また、コマーシャルを連続して録画したいというユーザのニーズ、又は、コマーシャルを録画したくないというユーザのニーズにも対応することができる。さらに、ユーザは、報知手段により報知される再生開始時刻により、再生開始時刻を容易且つ確実に認識することができ、再生開始時刻までの時間を有効に使うことができる。
【００５７】
なお、本発明の実施の形態は、上記実施の形態で例示したものに限られることなく、発明の趣旨を逸脱しない範囲において、種々の改良並びに設計の変更を行っても良い。
例えば、放送番組データのタイトルの取得方法は、ＥＰＧ情報から取得する場合に限られず、ユーザが入力したタイトルを用いる構成であっても良い。
また、上記実施形態では、放送録画再生装置としてＨＤＤ内蔵テレビジョン受像機１００を用いて説明を行ったが、放送録画再生装置は表示装置と一体型になっているものに限られることなく、表示装置等の外部機器に接続されたＨＤＤレコーダや、ＤＶＤ（Digital Versatile Disc）レコーダ、ＶＣＲ（Video Cassette Recorder）等であっても良い。
また、ＥＰＧ情報の取得方法は、チューナ４により受信される放送信号から抽出する場合に限られず、例えば、インターネット等からＥＰＧ情報を取得する通信部を設けても良い。
また、コマーシャルデータＣの検出方法は、本実施形態において上述した方法に限られることなく、従来から一般的に用いられる他の方法を採用しても良い。
また、報知プログラム１３４ｅにより行われる再生開始時刻の報知と、再生開始時刻が到来した旨の報知は、ディスプレイ１０ａ上のＯＳＤ表示により行う場合に限られず、例えば、音声ガイダンスや、ＬＥＤ(Light Emitting Diode)ランプ等により行う構成であっても良い。
また、本編優先録画・再生処理は、上述の実施形態で例示したように、コマーシャルデータＣを番組本編データＭと別領域に記憶させるＣＭ一括再生モードや、コマーシャルデータＣを録画せずにカットするＣＭカットモードにおける処理の他、番組本編データＭとコマーシャルデータＣを別領域に記憶させずに再生開始時刻から再生を行い、番組本編データＭを通常再生で再生し、コマーシャルデータＣの部分を早送り再生で再生する処理であっても良い。
また、再生開始時刻が到来すると、キー操作部２１における本編優先再生キー２１ｅのキー操作が無くとも、自動的に再生が開始される構成であっても良い。
【図面の簡単な説明】
【００５８】
【図１】本実施形態におけるＨＤＤ内蔵テレビジョン受像機の全体構成を例示する図である。
【図２】本実施形態におけるＨＤＤ内蔵テレビジョン受像機の要部構成を例示するブロック図である。
【図３】映像表示部のディスプレイに表示される録画再生モード選択画面を例示する図である。
【図４】総時間記憶テーブルを例示する図である。
【図５】第１の放送番組データのデータ構造を例示する図である。
【図６】映像表示部のディスプレイに表示される、再生開始時刻を報知するためのＯＳＤ表示を例示する図である。
【図７】映像表示部のディスプレイに表示される、再生開始時刻が到来したことを報知するためのＯＳＤ表示を例示する図である。
【図８】第１制御プログラムにおいて行われる本編優先録画・再生処理を説明するための図である。
【図９】第２制御プログラムにおいて行われる本編優先録画・再生処理を説明するための図である。
【符号の説明】
【００５９】
１００    ＨＤＤ内蔵テレビジョン受像機（放送録画再生装置）
４        チューナ（受信手段）
８        ディスクドライブ部（録画手段、再生手段）
１３１    ＣＰＵ（選択手段、受信手段、録画手段、再生手段、検出手段、判断手段、再生時刻決定手段、報知手段、第１制御手段、第２制御手段）
１３４ａ  選択プログラム（選択手段）
１３４ｂ  検出プログラム（検出手段）
１３４ｃ  判断プログラム（判断手段）
１３４ｄ  再生時刻決定プログラム（再生時刻決定手段）
１３４ｅ  報知プログラム（報知手段）
１３４ｆ  録画プログラム（録画手段）
１３４ｇ  再生プログラム（再生手段）
１３４ｈ  第１制御プログラム（第１制御手段）
１３４ｉ  第２制御プログラム（第２制御手段）
【図１】
2008182401.tif 000003
【図２】
2008182401.tif 000004
【図３】
2008182401.tif 000005
【図４】
2008182401.tif 000006
【図５】
2008182401.tif 000007
【図６】
2008182401.tif 000008
【図７】
2008182401.tif 000009
【図８】
2008182401.tif 000010
【図９】
2008182401.tif 000011